(57)【要約】【課題】安価な取付コストで配線基板等に確実に取付ける。【解決手段】柱形の本体部１の端部に雄ネジのネジ部２が設けられている。ネジ部２を合成樹脂材に対してネジ立てのできるタッピンネジとし、ネジ部２と本体部１との間にネジ部２のネジ山２１の最大径ａとほぼ同一の径ｂの円柱形の首部３を設けた。【選択図】                図１
2004232656.tif 000002
【特許請求の範囲】
【請求項１】
柱形の本体部の端部に雄ネジのネジ部が設けられたスペーサにおいて、ネジ部を合成樹脂材に対してネジ切りのできるタッピンネジとし、ネジ部と本体部との間にネジ部のネジ山の最大径とほぼ同一の径の円柱形の首部を設けたことを特徴とするスペーサ。
【請求項２】
請求項１のスペーサにおいて、ネジ部は先端側へ向けて径が小さくなるテーパネジであることを特徴とするスペーサ。
【請求項３】
請求項１または２のスペーサにおいて、首部の軸長はネジ部の１ピッチ程度の長さであることを特徴とするスペーサ。
【請求項４】
請求項１〜４のいずれかのスペーサにおいて、本体部はネジ部の反対側の端部から首部に対応した丸穴とネジ部に対応したネジ穴とが堀込まれていることを特徴とするスペーサ。
【発明の詳細な説明】
【０００１】
【発明の属する技術分野】本発明は、配線基板の周囲に素子類の実装スペース，放熱スペース等を確保するために配線基板等に起立して取付けられる柱形のスペーサに係る技術分野に属する。
【０００２】
【従来の技術】最近、各種機器の多機能化，高性能化に伴って、実装される素子類を含めた配線基板の高密度化が進んでいる。このため、配線基板等におけるスペーサの取付けでは、取付スペースの確保が困難になり取付位置の制約も大きくなってきている。この現状から、スペーサの形状として、ブロック形よりも小形である柱形が選択されるようになってきている。柱形のスペーサについては、配線基板等の点状の取付位置に起立して取付けられることになるため、取付強度を強化することが求められている。
【０００３】
従来、柱形のスペーサとしては、例えば、以下に記載のものが知られている。
【特許文献１】実開平２−３４８１９号公報。
特許文献１には、６角の柱形の本体部１の端部に雄ネジのネジ部２が設けられたスペーサが記載されている（図６参照）。
【０００４】
特許文献１に係るスペーサは、図６に示すように、配線基板等Ｐに穴加工した下穴Ｈにネジ溝Ｓを刻設してネジ部２を螺合させることで取付けられる。なお、本体部１に工具等を嵌合して回動させ、ネジ部２（本体部１）を配線基板等Ｐに締付けることによってかなりの取付強度を得ることができる。
【０００５】
【発明が解決しようとする課題】特許文献１に係るスペーサでは、下穴Ｈにネジ溝Ｓを刻設（タップ加工）しなければならないため、取付コストが高くなるという問題点がある。また、前述の配線基板Ｐの高密度化からネジ溝Ｓを刻設するタップを回動させる工具，駆動機構の動作スペースを確保できない場合や、合成樹脂材である配線基板等Ｐの材質からタップ加工で下穴Ｈの周面が塑性変形してネジ部２を強固に締付けることができなくなる場合があり、取付けが困難になることがあるという問題点がある。
【０００６】
本発明は、このような問題点を考慮してなされたもので、安価な取付コストで配線基板等に確実に取付けることのできるスペーサを提供することを課題とする。
【０００７】
【課題を解決するための手段】前述の課題を解決するため、本発明に係るスペーサは、次のような手段を採用する。
【０００８】
即ち、請求項１では、柱形の本体部の端部に雄ネジのネジ部が設けられたスペーサにおいて、ネジ部を合成樹脂材に対してネジ切りのできるタッピンネジとし、ネジ部と本体部との間にネジ部のネジ山の最大径とほぼ同一の径の円柱形の首部を設けたことを特徴とする。
【０００９】
この手段では、タッピンネジであるネジ部を配線基板等の下穴にネジ切りしながら螺合させて取付けることができ、下穴のタップ加工が不要になるとともに、首部をネジ部のネジ切りにより塑性変形した配線基板等の下穴の周面に圧入させることで強固な取付強度が得られる。
【００１０】
また、請求項２では、請求項１のスペーサにおいて、ネジ部は先端側へ向けて径が小さくなるテーパネジであることを特徴とする。
【００１１】
この手段では、配線基板等の下穴に対してネジ部がテーパ形にネジ切りする。
【００１２】
また、請求項３では、請求項１または２のスペーサにおいて、首部の軸長はネジ部の１ピッチ程度の長さであることを特徴とする。
【００１３】
この手段では、首部の軸長がネジ部の１ピッチ程度にかなり短く設定される。
【００１４】
また、請求項４では、請求項１〜４のいずれかのスペーサにおいて、本体部はネジ部の反対側の端部から首部に対応した丸穴とネジ部に対応したネジ穴とが堀込まれていることを特徴とする。
【００１５】
この手段では、ネジ部，首部とネジ穴，丸穴とを螺合，嵌合させることで複数本の連結が可能になる。
【００１６】
【発明の実施の形態】以下、本発明に係るスペーサの実施の形態を図１〜図５に基づいて説明する。
【００１７】
図１〜図４は、本発明に係るスペーサの実施の形態（１）を示すものである。
【００１８】
この実施の形態は、本体部１，ネジ部２，首部３の各部で構成されている。
【００１９】
本体部１は、金属材で６角の柱形に形成されている。この本体部１の軸長，径については、確保しようとする素子類の実装スペース，放熱スペースの大きさや支持荷重等を考慮して設定される。一方の端面１１には、圧接することになる配線基板等Ｐを無用に損傷することのないように、湾曲した面取加工がなされている。他方の端面１２には、雌ネジが刻設されたネジ穴１３が堀込まれている。
【００２０】
ネジ部２は、本体部１の一方の端面１１に突出して一体的に設けられたタッピンネジからなる。このネジ部２については、配線基板等Ｐの形成素材である合成樹脂材に対してネジ切りのできる雄ネジのネジ溝構造を有するものが選択される。具体的には、ＪＩＳ規格の２種のように、３角形のネジ山２１，ネジ谷２２の径が基端側から先端側へ向けて径が小さくなるテーパネジが挙げられる。
【００２１】
首部３は、円柱形（テーパネジの延長として錐柱形でも差支えない）に形成されて本体部１，ネジ部２の間に一体的に設けられている。この首部３の径ｂは、ネジ部２のネジ山２１の最大径ａとほぼ同一になっている。また、首部３の軸長は、ネジ部２の１ピッチ程度の長さで充分であり、特別な加工が必要になる程の長さは不要である。
【００２２】
この実施の形態によると、図２に示すように、配線基板等Ｐに穴加工した下穴Ｈにネジ部２を挿入して全体を回動させることによって、ネジ部２を下穴Ｈにネジ切りをしながら螺合させることができ、下穴Ｈにネジ溝Ｓを刻設するタップ加工をすることなく配線基板等Ｐに取付けることができる。そして、本体部１に工具等を嵌合して回動させ、ネジ部２（本体部１）を配線基板等Ｐに締付けることによって、本体部１の一方の端面１１を配線基板等Ｐに圧接させてかなりの取付強度を得ることができる。このとき、ネジ部２がテーパネジで下穴Ｈへのネジ切りの抵抗が比較的小さいため、締付けにあまり大きな力は必要ない。
【００２３】
従って、タップ加工のコストが削減されて、配線基板等Ｐへの取付コストが安価になる。また、配線基板Ｐの高密度化からネジ溝Ｓを刻設するタップを回動させる工具，駆動機構の動作スペースを確保できない場合でも、配線基板等Ｐへの取付けが可能になる。
【００２４】
さらに、図３に示すように、合成樹脂材である配線基板等Ｐの材質からネジ部２のネジ切りで下穴Ｈの周面が塑性変形しても、塑性変形部分Ｈ’に首部３が圧入して塑性変形部分Ｈ’を下方（ネジ部２側）へ加圧して押下げ、ネジ部２の下穴Ｈへの螺合締付けを強固にする。また、下穴Ｈに侵入した首部３は、塑性変形部分Ｈ’の除去された下穴Ｈの弾性変形の復元力を直接的に受けることになる。
【００２５】
従って、配線基板等Ｐへの取付強度が相当に高くなる。
【００２６】
なお、図４には、配線基板等Ｐに取付けられた本体部１の他方の端面１２に他の配線基板等Ｐ’を載せ、本体部１のネジ穴１３にネジＢを螺合させて他の配線基板等Ｐ’を固定する使用例が示されている。ちなみに、配線基板等Ｐと他方の端面１２との間に、素子類の実装スペース，放熱スペース等が確保される。
【００２７】
図５は、本発明に係るスペーサの実施の形態（２）を示すものである。
【００２８】
この実施の形態では、前述の実施の形態（１）の本体部１のネジ穴１３に代えて、本体部１の他方の端面１２から首部３に対応した丸穴１５とネジ部２に対応したネジ穴１４とが堀込まれている。
【００２９】
この実施の形態によると、ネジ部２，首部３とネジ穴１４，丸穴１５とを螺合，嵌合させることで複数本を連結し、本体部１の軸長を実質的に調整することがが可能になる。
【００３０】
以上、図示した実施の形態の外に、ネジ穴１３，１５，丸穴１４に代えて、本体部１の他方の端面１２に他の配線基板等Ｐ’や素子類を係止させる係止構造を設けることも可能である。
【００３１】
さらに、本体部１を他の角柱形や円柱形とすることも可能である。
【００３２】
さらに、ネジ部２を軸方向へ溝を設けた溝付きタッピンネジとすることも可能である。
【００３３】
【発明の効果】以上のように、本発明に係るスペーサは、タッピンネジであるネジ部を配線基板等の下穴にネジ切りしながら螺合させて取付けることができ、下穴のタップ加工が不要になるとともに、首部をネジ部のネジ切りにより塑性変形した配線基板等の下穴の周面に圧入させることで強固な取付強度を得られるため、安価な取付コストで配線基板等に確実に取付けることができる効果がある。
【図面の簡単な説明】
【図１】本発明に係るスペーサの実施の形態（１）を示す一部切断の正面図である。
【図２】図１の取付工作例を示す図であり、（Ａ）〜（Ｄ）の順に工程が表されている。
【図３】図２の要部の拡大図であり、（Ａ）は図２（Ｃ）に対応し、（Ｂ）は図２（Ｄ）に対応している。
【図４】図１の使用例を示す図である。
【図５】本発明に係るスペーサの実施の形態（１）を示す使用状態の一部切断の正面図である。
【図６】従来の技術を説明するための斜視図である。
【符号の説明】
１                本体部
１４                    ネジ穴
１５          丸穴
２                ネジ部
２１          ネジ山
３            首部
Ｈ            下穴
Ｐ            配線基板等
ａ            最大径（ネジ山の）
ｂ            径（首部の）
【図１】
2004232656.tif 000003
【図２】
2004232656.tif 000004
【図３】
2004232656.tif 000005
【図４】
2004232656.tif 000006
【図５】
2004232656.tif 000007
【図６】
2004232656.tif 000008